(57)【特許請求の範囲】
【請求項１】
読み書き自在なＩＣチップが取付けられたＩＣチップ付きシールを印章として発行する電子印鑑装置であって、
前記ＩＣチップ付きシールを支持しかつつづら折状に折りたたまれた支持体を保持するシール保持手段と、
前記ＩＣチップ付きシールの印字面に当該シールの発行者の名前若しくは名称に関する情報を印字する印字手段と、
前記ＩＣチップに書き込まれる捺印情報を取得する捺印情報取得手段と、
前記捺印情報を前記ＩＣチップに対して書き込む捺印情報書き込み手段と、
前記支持体を送出しかつ捺印対象物に前記ＩＣチップ付きシールを貼り付ける貼付け手
段と、を含み、
前記ＩＣチップ付きシールの印字面にはホログラムが取付けられており、
前記ホログラムは発行済みの当該シールを捺印対象物から剥離すると脆性破壊する脆性
破壊部を有する電子印鑑装置であって、
前記捺印情報取得手段は、前記発行者の指紋情報を取得する指紋認証手段と前記指紋情
報の取得時間を特定しかつ前記取得時間を時間情報とする時間特定手段と前記指紋情報の
取得位置を特定しかつ前記取得位置を位置情報とする位置特定手段とを含み、前記時間情
報および前記位置情報を前記捺印情報とする、ことを特徴とする電子印鑑装置。
【発明の詳細な説明】
【技術分野】
【０００１】
本発明は、捺印者及び捺印時間等を特定する情報を組み込んだＩＣタグ付きシールを発行する電子印鑑装置に関する。
【背景技術】
【０００２】
紙文書の真正性を保証する手段として、通常、印鑑の捺印によって得られる印章が用いられている。特に、重要書類には実印の捺印が必要となっている。実印の印章の真贋確認は、印鑑証明書に記載された印章との目視による比較確認によって行われている。したがって、非常に精巧に作成された偽の印章の場合には誤認証するおそれがある。
一方、重要性が高くない書類であっても、印鑑による証明は一般的に行われている。しかしながら、いわゆる三文判などの比較的簡単に入手できる印鑑により、あたかも正当に作成されたような文書を作成することが可能であった。
そこで、捺印対象文書のディジタル画像のイメージデータを取り込む捺印対象取得手段と、当該ディジタル画像イメージデータのハッシュ値を計算して暗号化することによりディジタル署名データを生成する捺印対象署名手段と、当該ディジタル署名データを可視化データに変換する捺印情報生成手段と、当該可視化データを電子印章として印字する捺印印字手段と、からなる電子印鑑システムが提案されている（特許文献１参照）。
【特許文献１】特開２００７−６１２２号公報
【発明の開示】
【発明が解決しようとする課題】
【０００３】
当該電子印鑑システムによれば、紙書類に対して電子的な証明が可能となり、改ざんの有無の確認など認証の精度を高めることができるものの、捺印対象文書のイメージを取得するための手段を設ける必要があるなど、当該システムを組み込んだ携帯型の電子印鑑とするには技術的に困難性を伴う。
また、紙書面自体の改ざんが行われていないとしても、特定の発行者以外の者が不正に捺印することを防止できないという問題がある。
本発明は、上記の問題点が一例として挙げられる課題を解決する。
【課題を解決するための手段】
【０００４】
本発明による電子印鑑装置は、読み書き自在なＩＣチップが取付けられたＩＣチップ付きシールを印章として発行する電子印鑑装置であって、前記ＩＣチップ付きシールを支持しかつつづら折状に折りたたまれた支持体を保持するシール保持手段と、
前記ＩＣチップ付きシールの印字面に当該シールの発行者の名前若しくは名称に関する情報を印字する印字手段と、
前記ＩＣチップに書き込まれる捺印情報を取得する捺印情報取得手段と、
前記捺印情報を前記ＩＣチップに対して書き込む捺印情報書き込み手段と、
前記支持体を送出しかつ捺印対象物に前記ＩＣチップ付きシールを貼り付ける貼付け手
段と、を含み、
前記ＩＣチップ付きシールの印字面にはホログラムが取付けられており、
前記ホログラムは発行済みの当該シールを捺印対象物から剥離すると脆性破壊する脆性破壊部を有する電子印鑑装置であって、
前記捺印情報取得手段は、前記発行者の指紋情報を取得する指紋認証手段と前記指紋情報の取得時間を特定しかつ前記取得時間を時間情報とする時間特定手段と前記指紋情報の取得位置を特定しかつ前記取得位置を位置情報とする位置特定手段とを含み、前記時間情報および前記位置情報を前記捺印情報とする、ことを特徴とする。
【発明の効果】
【０００５】
本発明の電子印鑑装置によれば、本人認証を行った上で捺印発行が可能となる故、印章の発行の不正を防止することができる。これによって、特定の発行者によってのみ印章が発行できることから、紙書面が正規の書面であるという信頼性を高めることができる。
【発明を実施するための最良の形態】
【０００６】
以下、本発明の電子印鑑装置の実施例について、図面を参照しつつ詳細に説明する。
図１に示す如く、電子印鑑装置１は、当該装置の動作のON／OFFを行う起動スイッチ２および指紋センサ３を有する。
指紋センサ３は、起動スイッチ２によって電子印鑑装置１を動作させた場合に、操作者の指紋を読み取り、指紋情報を取得する。
【０００７】
図２に示す如く、指紋センサ３は、電子印鑑装置１を制御する制御部４と接続している。制御部４は、あらかじめ登録された電子印鑑装置１の操作者の指紋情報を記憶している記憶部５と接続しており、指紋センサ３によって取得された指紋情報と記憶部５に記憶された指紋情報とを照合する。指紋センサ３、制御部４及び記憶部５は、指紋認証手段を構成している。
【０００８】
制御部４は、指紋センサ３によって指紋情報を取得した時間を特定する計時部６と接続している。計時部６は、指紋センサ３が指紋情報を取得したことを契機として制御部４から発せられる指紋取得信号を受信し、当該受信時間を時間情報とする。制御部４及び計時部６は、時間特定手段を構成している。
また、制御部４は、指紋センサ３によって指紋情報を取得した位置を特定する位置検出部７と接続している。位置検出部７は、指紋センサ３が指紋情報を取得したことを契機として制御部４から発せられる指紋取得信号を受信し、当該信号を受信した際の電子印鑑装置１の位置を位置情報とする。位置検出部７としては、いわゆるＧＰＳシステムの受信部等としても良い。制御部４及び位置検出部７は、位置特定手段を構成している。
指紋認証手段、時間特定手段及び位置特定手段は、捺印情報取得手段を構成している。
制御部４は、指紋センサ３によって取得された指紋情報と記憶部５に記憶された指紋情報とを照合して、一致する場合に時間情報と位置情報とを捺印情報としてＩＣチップライタ８に送信する。
【０００９】
ＩＣチップライタ８は、印鑑装置１内に保持されたＩＣチップ付きシール９に取り付けられたＩＣチップ（図示せず）に対して捺印情報を書き込むことが可能であり、捺印情報書込み手段を構成している。ＩＣチップ付きシール９は支持体１０に支持されている。支持体１０は、つづら折状に折りたたまれて未使用のＩＣチップ付きシール９を保持している。つづら折状に折りたたまれた支持体は、シール保持手段（図示せず）によって保持されている。
つづら折状に折りたたまれた支持体１０は、まずＩＣチップライタ８の近傍に向けて送出される。ＩＣチップライタ８の近傍には、支持体１０の送出方向を反転させる反転ローラ１１が設けられている。ＩＣチップライタ８に近づいたＩＣチップ付きシール９は、ＩＣチップ（図示せず）に捺印情報が書き込まれた後、支持体１０が反転ローラ１１により反転する際に、支持体１０から剥離する。剥離したＩＣチップ付きシール９は、捺印対象物に貼り付けられる。なお、ＩＣチップ付きシール９の貼付けは、反転ローラ１０と接する支持体１０の送出方向とほぼ同一の方向に電子印鑑装置１を移動せしめて行われる。当該シールが剥離した支持体１０は、巻き取りロール１２に巻き取られる。かかる反転ローラ１１及び巻き取りロール１２は、貼付け手段を構成している。
支持体１０から剥離しかつ捺印情報が書き込まれたＩＣチップ付きシール９は、当該シールの発行者の名前もしくは名称に関する情報が刻まれた印字ローラ（印字手段）１３と接触し、発行者の名前もしくは名称が印字される。
【００１０】
例えば図３に示す如く、ＩＣチップ付きシール９は、中央に発行者の姓が大きく印字される。ＩＣチップ付きシール９のＩＣチップ１４は、ＩＣチップリーダ（図示せず）によってＩＣチップ１４内に書き込まれた捺印情報を読み取ることができる。
なお、指紋センサ３によって取得された指紋情報と記憶部５に記憶された指紋情報とが一致しない場合、電子印鑑装置１は、操作者が予め登録された人物以外の者による操作と判断し、ＩＣチップ付きシールの発行を中止する。
変形例として、ＩＣチップ付きシールの印字面には、ホログラム（図示せず）が取り付けられていても良い。かかるホログラムは、発行済みの当該シールを捺印対象物から剥離すると脆性破壊する脆性破壊部を有する。当該構成によれば、発行済みのＩＣチップ付きシールを剥して別の紙書類に貼り換えることによる、紙書面の偽造を防止することができる。
【図面の簡単な説明】
【００１１】
【図１】本発明の電子印鑑装置の概略外観図である。
【図２】本発明の電子印鑑装置の概略断面図である。
【図３】本発明による発行済のＩＣチップ付きシールの平面図である。
【符号の説明】
【００１２】
１  電子印鑑装置
２  起動スイッチ
３  指紋センサ
４  制御部
５  記憶部
６  計時部
７  位置検出部
８  ＩＣチップライタ
９  ＩＣチップ付きシール
１０  支持体
１１  反転ロール
１２  巻き取りロール
１３  印字ローラ
１４  ＩＣチップ
【図１】
0005332282.tif 000002
【図２】
0005332282.tif 000003
【図３】
0005332282.tif 000004